(57)【要約】【課題】封筒の宛名面と署名面のそれぞれに印刷される印刷情報を正視した向きで表示し、原稿の編集作業を容易にする。【解決手段】封筒印刷のための画像情報を生成する原稿レイアウト装置１であって、封筒の宛名と署名の面にそれぞれ印刷する複数の文字情報を正視した向きで表示する表示部４０と、封筒の展開図を表す封筒情報Ａと、複数の前記文字情報、封筒の向き、及び封筒を裏返して見る方向を表す両面設定を含む印刷情報Ｂとに基づいて、表示部４０に表示した表示画像情報を、封筒のそれぞれの面に適合するように変換した原稿レイアウト情報を生成する原稿レイアウト情報生成部５０とを備える。【選択図】図１
2019121000.tif 000002
【特許請求の範囲】
【請求項１】
封筒印刷のための原稿レイアウト情報を生成する原稿レイアウト装置であって、
封筒の宛名と署名の面にそれぞれ印刷する複数の文字情報を正視した向きで表示する表示部と、
封筒の展開図を表す封筒情報と、複数の前記文字情報、封筒の向き、及び封筒を裏返して見る方向を表す両面設定を含む印刷情報とに基づいて、前記表示部に表示した表示画像情報を、封筒のそれぞれの面に適合するように変換した前記原稿レイアウト情報を生成する原稿レイアウト情報生成部と
を備えることを特徴とする封筒印刷の原稿レイアウト装置。
【請求項２】
封筒を特定できる一つ以上の情報を取得した場合に、該一つ以上の情報に対応する保存済みの前記封筒情報を読み出して前記原稿レイアウト情報生成部に出力する封筒情報取得部と、
前記印刷情報を取得する印刷情報取得部と
を備えることを特徴とする請求項１に記載の封筒印刷の原稿レイアウト装置。
【請求項３】
前記表示部は、
前記表示画像情報を封筒の宛名面及び封筒の署名面のそれぞれに対応させて分割して表示する
ことを特徴とする請求項１又は２に記載の封筒印刷の原稿レイアウト装置。
【発明の詳細な説明】
【技術分野】
【０００１】
本発明は、画像情報を生成する封筒印刷の原稿レイアウト装置に関する。
【背景技術】
【０００２】
封筒を形成する封筒印刷用紙データを生成するデータ処理装置としては、例えば特許文献１に開示されたものが知られている。そのデータ処理装置は、封筒の表面に宛先、裏面に差出人をそれぞれ面付けして封筒印刷用紙データを生成する。以降において、宛先は宛名、差出人は署名と称することにする。
【先行技術文献】
【特許文献】
【０００３】
【特許文献１】特開２０１５−１８５０３１号公報
【発明の概要】
【発明が解決しようとする課題】
【０００４】
特許文献１の技術では、封筒の仕上がりイメージが分かり易くなるように、署名の文字を180度回転させて表示している。よって、表示が見にくく編集作業がやり難くなるという課題がある。
【０００５】
本発明は上記に鑑みてなされたもので、封筒の各面の印刷情報を正視した向きで表示することで、編集作業を容易にする封筒印刷の原稿レイアウト装置を提供することを目的とする。
【課題を解決するための手段】
【０００６】
上記目的を達成するため、本発明に係る封筒印刷の原稿レイアウト装置は、封筒印刷のための原稿レイアウト情報を生成する原稿レイアウト装置であって、封筒の宛名と署名の面にそれぞれ印刷する複数の文字情報を正視した向きで表示する表示部と、封筒の展開図を表す封筒情報と、複数の前記文字情報、封筒の向き、及び封筒を裏返して見る方向を表す両面設定を含む印刷情報とに基づいて、前記表示部に表示した表示画像情報を、封筒のそれぞれの面に適合するように変換した前記原稿レイアウト情報を生成する原稿レイアウト情報生成部と
を備える。
【発明の効果】
【０００７】
本発明によれば、封筒の宛名面と署名面のそれぞれに印刷される文字情報を正視した向きで表示するので、原稿の編集作業を容易にする。
【図面の簡単な説明】
【０００８】
【図１】本発明の実施の形態に係る封筒印刷の原稿レイアウト装置の機能構成例を示すブロック図である。
【図２】図１に示す原稿レイアウト装置の処理手順を示すフローチャートである。
【図３】洋封筒の形状（封筒情報Ａ）例を示す展開図である。
【図４】図１に示す原稿レイアウト装置の表示部で表示される封筒情報、複数の文字情報、及び印刷情報の表示例を模式的に示す図である。
【図５】図３に示した洋封筒の折り方を説明する図である。
【図６】表示部の表示と原稿レイアウト情報と印刷イメージの一例を示す図である。
【図７】原稿レイアウト情報を生成する処理手順を示すフローチャートである。
【図８】条件１の印刷情報による封筒の仕上がりイメージを模式的に示す図である。
【図９】条件２の印刷情報による原稿レイアウト情報と印刷イメージを示す図である。
【図１０】条件２の印刷情報による封筒の仕上がりイメージを模式的に示す図である。
【図１１】条件３の印刷情報による原稿レイアウト情報と印刷イメージを示す図である。
【図１２】条件４の印刷情報による原稿レイアウト情報と印刷イメージを示す図である。
【図１３】条件５の印刷情報による原稿レイアウト情報と印刷イメージを示す図である。
【図１４】条件６の印刷情報による原稿レイアウト情報と印刷イメージを示す図である。
【図１５】条件６の印刷情報による封筒の仕上がりイメージを模式的に示す図である。
【発明を実施するための形態】
【０００９】
以下、本発明の実施の形態について、図面を参照して説明する。なお、各図面を通じて同一若しくは同等の部位や構成要素には、同一もしくは同等の符号を付し、その説明を省略もしくは簡略化する。
【００１０】
図１は、本発明の実施の形態に係る封筒印刷の原稿レイアウト装置の機能構成例を示すブロック図である。図１に示す封筒印刷の原稿レイアウト装置（以降、「封筒印刷の」文言は省略する）１は、印刷装置２、及び封入封緘装置３と組み合わせられて封書作製システム１００を構成する。
【００１１】
封書作製システム１００は、封筒を形成する封筒用紙の宛名面と署名面に印刷を行いつつ、封入される用紙に印刷を行い、封筒用紙を折りつつ印刷した用紙を折って封入し、糊付けを行って封筒を作成するシステムである。原稿レイアウト装置１は、封筒を展開した用紙の各面に印刷する複数の文字情報を編集し易いように正視した向きで表示すると共に、表示した表示画像情報を封筒のそれぞれの面に適合するように変換した原稿レイアウト情報を生成する。
【００１２】
原稿レイアウト装置１は、封筒情報取得部１０、印刷情報取得部２０、表示データ生成部３０、表示部４０、及び原稿レイアウト情報生成部５０を備える。本実施形態に係る原稿レイアウト装置１の各機能構成部は、例えばＲＯＭ、ＲＡＭ、ＣＰＵ等からなるコンピュータで実現してもよい。各機能構成部をコンピュータによって実現する場合、各機能構成部が有すべき機能の処理内容はプログラムによって記述される。そして、このプログラムをコンピュータで実行することにより、原稿レイアウト装置１がコンピュータを用いて実現される。
【００１３】
図２は、原稿レイアウト装置１の処理手順を示すフローチャートである。図１と図２を参照してその動作を説明する。
【００１４】
図２に示すフローチャートの処理は、原稿レイアウト装置１を構成する各機能構成部が主体となって行う。各機能構成部の間の連携については制御部（図示せず）が、主体となって行う。その処理は、ユーザによる例えば封筒情報Ａの入力を受け付けたことにより開始となる。
【００１５】
封筒情報取得部１０は、封筒の展開図を表す封筒情報Ａを取得する（ステップＳ１）。封筒情報Ａは、封筒の具体的な寸法であってもよいし、封筒の名称であってもよい。封筒の名称とは、日本郵政が定めた定形郵便物の封筒の呼称である。例えば、「洋形0号（洋0）」、「長形1号（長1）」、及び「角形0号（角0）」等である。封筒情報Ａには、封筒の折り目位置を表す折り目位置情報も含まれる。
【００１６】
図３は、洋封筒４の封筒情報Ａで表される形状例を示す図である。図３に示す洋封筒４は、三つ折れタイプであり、４ａが宛名面、４ｂが署名面、４ｃがフラップである。４ｄは宛名面４ａと署名面４ｂの折り目位置である。４ｅは宛名面４ａとフラップ４ｃの折り目位置である。４ｆはミシン目である。一点鎖線で示す範囲は、印刷装置２で文字情報が印刷される範囲である。
【００１７】
また、折り目位置４ｄ、４ｅ、及びミシン目４ｆは座標情報で表せる。それぞれは、図３のフラップ４ｃの幅の狭い部分を除いた例えば左下の隅を原点とする座標情報で表せる。折り目位置４ｅの座標はｙ１である。折り目位置４ｄの座標はｙ２である。ミシン目４ｆの座標はｘ１である。なお、ミシン目４ｆは、後述するように印刷情報Ｂに含まれる。
【００１８】
封筒の具体的な寸法と各座標情報は、封筒の名称と対応付けて記憶部（図示せず）に予め記憶させておいてもよい。ユーザが封筒を特定できる上記の何れかの情報を入力した場合に、記憶部に保存（記憶）された封筒情報Ａを検索して必要な情報を読み出すようにしてもよい。記憶部は、本実施形態に係る原稿レイアウト装置１をコンピュータで構成した場合の例えばＲＯＭ、ＲＡＭで有ってもよい。
【００１９】
つまり、封筒情報取得部１０は、封筒を特定できる一つ以上の情報（例えば封筒の名称）を取得した場合に、該一つ以上の情報に対応する記憶部に保存済みの封筒情報Ａを読み出して原稿レイアウト情報生成部５０に出力するように構成してもよい。これにより、封筒情報Ａの全てを入力しなくて済むのでユーザの操作負担を軽減させることができる。ここで一つ以上の情報とは、例えば封筒の縦と横の寸法等のことである。封筒を特定できる１個以上の情報であれば、一つ以上の情報は何でもよい。
【００２０】
印刷情報取得部２０は、封筒の宛名面４ａと署名面４ｂ等のそれぞれに印刷する複数の文字情報と、封筒の向き、ミシン目の位置、及び両面設定等を含む印刷情報Ｂを取得する（ステップＳ２）。封筒に印刷される文字情報の向きは、封筒の向き、両面設定、及びミシン目の位置で変化する。よって、文字情報以外のこれらの情報も印刷情報Ｂに含まれる。なお、ミシン目の位置は、印刷情報Ｂに含まれなくても構わない。何故なら、ミシン目が無くてもユーザは挟み等で容易に封筒の開封が行えるからである。
【００２１】
また、差出人を表すロゴマーク等の画像情報を印刷情報Ｂに含めてもよい。ただし、以降で説明する印刷情報Ｂには、画像情報を含まない例で説明する。
【００２２】
この印刷情報Ｂ及び封筒情報Ａは、原稿レイアウト装置１に接続される他の端末（図示せず）から入力される様にしてもよい。また、ユーザの操作に基づいて印刷情報取得部２０で生成する様にしてもよい。他の端末としては、パーソナルコンピュータ、ＰＤＡ、携帯電話端末等が考えられる。なお、自ら生成する場合、印刷情報取得部２０はキーボード及びタッチパネル等を備える。また、音声認識技術によって封筒情報Ａと印刷情報Ｂを入力するようにしてもよい。
【００２３】
表示データ生成部３０は、印刷情報取得部２０で取得（或いは生成）した複数の文字情報のそれぞれを正視した向きで表示する表示データを生成する（ステップＳ３）。正視した向きとは、例えば「宛名」の住所及び氏名の文字を正面から真っ直ぐに見た向きのことである。
【００２４】
文字情報が例えば２バイトで表現される文字コードである場合、当該文字コードをデコードすれば文字情報は正視した向きの文字に復号される。したがって、表示データ生成部３０は、文字情報を表示する表示パネルに適合したデコーダである。よって、そのデコーダを表示部４０が備えれば表示データ生成部３０は無くても構わない。
【００２５】
表示部４０は、複数の文字情報のそれぞれを正視した向きで表示する（ステップＳ３）。表示部４０は、液晶パネル、有機ＥＬパネル等の表示パネルである。
【００２６】
図４は、表示部４０で表示される封筒情報と、複数の文字情報を含む印刷情報の表示例を模式的に示す図である。４１は封筒のタイプ、４２は封筒の向き、４３はミシン目の位置、及び４４は両面設定のそれぞれの設定を表す表示である。封筒のタイプ４１は封筒情報Ａに含まれる。封筒の向き４２、ミシン目の位置４３、及び両面設定４４は印刷情報Ｂに含まれる。
【００２７】
これらの印刷情報Ｂは、上記の封筒情報Ａと同様に記憶部（図示せず）に保存しておいてもよい。印刷情報取得部２０は、宛先を特定できる一つ以上の情報（例えば宛先の頭文字）を取得した場合に、該一つ以上の情報に対応する記憶部に保存済みの印刷情報Ｂを読み出して原稿レイアウト情報生成部５０に出力するように構成してもよい。
【００２８】
図４中に表示する▼は、プルダウンメニューを表示させる表示画面上のボタンである。封筒のタイプのボタン４１ａをクリック等すると、例えば大きさの異なる封筒であるタイプＢ、タイプＣ、…と縦方向に複数表示され、画面上でその何れかを選択することができる。このように封筒情報取得部１０の作用は、表示部４０と連動させる様にしてもよい。
【００２９】
ミシン目の位置４３のボタン４３ａをクリック等すると、右、左、上と縦方向に表示され、画面上でその何れかを選択することができる。
【００３０】
両面設定４４のボタン４４ａをクリック等すると、左右開きの下に上下開きと表示され、そのどちらかが選択可能である。左右開きとは、封筒を左右に裏返して見ることを意味する。上下開きとは封筒を上下方向に裏返して見ることを意味する。
【００３１】
これらの封筒情報Ａ及び印刷情報Ｂによって、封筒の宛名面４ａと署名面４ｂ等にそれぞれ面付けする文字情報の向きを変える必要がある。印刷情報によって文字情報の向きを変える具体例については後述する。
【００３２】
４５は封筒の宛名面４ａの表示画像である。４６は封筒の署名面４ｂ等の裏面の表示画像である。このように封筒の宛名面４ａに印刷される氏名と住所、及び封筒の署名面等に印刷される定型文と広告情報のそれぞれの文字は正視する向きで表示される。ここで定型文とは、「Please open here.」の表示画像情報である。また、広告情報とは、「The Quick Brown…」の表示画像情報である。なお、広告情報は例えば差出人を表す氏名及び名称等に変えてもよい。
【００３３】
ここで図５を参照して図３に示した洋封筒４の折り方について簡単に説明する。洋封筒４は、封入物５を挟み込むようにして折り目位置４ｅで山折りにされる。よって、封入物５はフラップ４ｃで挟まれる。次に、署名面４ｂは封入物を挟んだフラップ４ｃに重ねるように折り目位置４ｄで山折りにされる。署名面４ｂの先端部がフラップ４ｃの点線の部分に一致するように封筒の縦（ｙ）方向の寸法が設定されている。この例では、フラップ４ｃのその点線と折り目位置４ｅの間は、封筒の裏面として露出することになる。以降、この部分をフラップ面４ｇと称する。そして、フラップ４ｃの幅の狭い部分と署名面４ｂの先端付近が例えば再湿糊（図示せず）で接着され、洋封筒４の両短部が例えば感圧糊（図示せず）で接着されて封筒が形成される。なお、この封入封緘処理は、封入封緘装置３で実行される。
【００３４】
封入封緘処理された洋封筒４の表面は、図５に示すようにこの例では３つの部分で構成される。封筒の表は宛名面４ａで構成され、封筒の裏は署名面４ｂとフラップ面４ｇで構成される。
【００３５】
４７は編集機能を設定するアイコンである。アイコン４７はワープロソフトなどに備わる一般的なものであり、表示画像４５及び４６に表示されるレイアウトに対し、直接文字、図形、写真等の追加や編集などを行うことができる。
【００３６】
原稿レイアウト情報生成部５０は、表示部４０に表示した表示画像情報を、封筒のそれぞれの面に適合するように印刷情報に基づいて変換した原稿レイアウト情報を生成する（ステップＳ４）。封筒の宛名面４ａには宛名の表示画像情報がレイアウトされる。署名面４ｂには広告情報がレイアウトされる。フラップ面４ｇには定型文がレイアウトされる。
【００３７】
図６は、表示部４０の表示と原稿レイアウト情報と印刷イメージの一例を模式的に示す図である。図６の１列目は表示部４０の表示、２列目は原稿レイアウト情報、３列目は印刷イメージである。図６に示す原稿レイアウト情報は、封筒情報が「封筒タイプ：タイプＡ」、印刷情報が「封筒の向き：横」、「ミシン目の位置：右」、及び「両面設定：左右開き」の場合の例である。
【００３８】
図６の１列目の上が封筒の表の表示画像４５、同下が封筒の裏の表示画像４６である。２列目の上は宛名面４ａの原稿レイアウト情報である。２列目の真ん中はフラップ面４ｇの原稿レイアウト情報である。２列目の下は署名面４ｂの原稿レイアウト情報である。
【００３９】
封筒の表の表示画像情報は、180度回転させられた原稿レイアウト情報に変換されている。封筒の裏の表示画像情報は、そのままの向きで原稿レイアウト情報に変換されている。原稿レイアウト情報は、そのままの向きで封筒の各面にそれぞれ面付けされる。
【００４０】
以上述べたように本実施形態に係る原稿レイアウト装置１は、封筒印刷のための画像情報を生成する原稿レイアウト装置であって、封筒の宛名と署名の面にそれぞれ印刷する複数の文字情報を正視した向きで表示する表示部４０と、封筒の展開図を表す封筒情報Ａと、複数の文字情報、封筒の向き、及び封筒を裏返して見る方向を表す両面設定を含む印刷情報Ｂとに基づいて、表示部４０に表示した表示画像情報を、封筒のそれぞれの面に適合するように変換した前記原稿レイアウト情報を生成する原稿レイアウト情報生成部とを備える。これにより、封筒の宛名面と署名面のそれぞれに印刷される文字情報を正視した向きで表示するので、原稿の編集作業を容易にする効果が得られる。
【００４１】
また、原稿レイアウト装置１によれば、表示部４０は、表示画像情報を封筒の宛名面及び封筒の署名面のそれぞれに対応させて分割して表示する。これにより、原稿の編集作業を分かり易くすることができる。
【００４２】
次に、封筒情報及び印刷情報を変えた場合の原稿レイアウト情報について具体例を示して詳しく説明する。図７は、封筒タイプＡの封筒において、その他の印刷情報を変えた場合の原稿レイアウト情報を生成する処理手順を示すフローチャートである。
【００４３】
（条件１の印刷情報：封筒の向き横、ミシン目の位置右、左右開き）
条件１の印刷情報の図７における処理フローは、「封筒の向きは横向き（ステップＳ５０のＹＥＳ）」、「ミシン目の位置は右（ステップＳ５１のＹＥＳ）」、「封筒の宛名面に宛名データを下向きに（ステップＳ５２）」、「両面設定は左右開き（ステップＳ５３のＹＥＳ）」、及び広告情報と定型文を上向きに（ステップＳ５４）」の流れである。この処理フローによって生成される原稿レイアウト情報は、図６に示した。
【００４４】
図８は、条件１の印刷情報による封筒の仕上がりイメージを模式的に示す図である。図８（ａ）の宛名面を右方向に裏返したのが図８（ｂ）である。この場合、定型文（Please open here）は横向きの封筒の上側に位置する。
【００４５】
（条件２の印刷情報：封筒の向き横、ミシン目右、上下開き）
図９は、条件２の印刷情報による原稿レイアウト情報と印刷イメージを示す。広告情報と定型文が下向きにされた原稿レイアウト情報が生成される（ステップＳ５５）。図１０は、その封筒の仕上がりイメージを模式的に示す図である。
【００４６】
図１０（ａ）は宛名面４ａを正面から見た図である。宛名と宛名の住所が正視した向きで宛名面４ａに面付けされている。図１０（ｂ）は図１０（ａ）を上下方向に裏返した封筒の裏面を正面から見た図である。図１０（ｂ）に示すように署名と定型文が正視した向きで署名面４ｂに面付けされている。なお、この場合、署名面の定型文の位置は横向きの封筒の下側に位置する。図７（ｂ）と反対であるが、署名と定型文共に正視した向きで表記されている。
【００４７】
（条件３の印刷情報：封筒の向き横、ミシン目の位置左、左右開き）
図１１は、条件３の印刷情報による原稿レイアウト情報と印刷イメージを示す。宛名が上向きにされた原稿レイアウト情報が生成される（ステップＳ５６）。そして、広告情報と定型文は下向きにされた原稿レイアウト情報が生成される（ステップＳ５８）。
【００４８】
この場合の封筒の仕上がりイメージにおいて、署名面の定型文の位置は横向きの封筒の下側に位置する。
【００４９】
（条件４の印刷情報：封筒の向き横、ミシン目の位置左、上下開き）
図１２は、条件４の印刷情報による原稿レイアウト情報と印刷イメージを示す。宛名が上向きにされた原稿レイアウト情報が生成される（ステップＳ５６）。そして、署名と定型文は上向きにされた原稿レイアウト情報が生成される（ステップＳ５９）。
【００５０】
この封筒の仕上がりイメージにおいて、署名面の定型文の位置は横向きの封筒の上側に位置する。
【００５１】
（条件５の印刷情報：封筒の向き縦、ミシン目の位置上、左右開き）
図１３は、条件５の印刷情報による原稿レイアウト情報と印刷イメージを示す。この場合、ミシン目の位置は上に固定される（ステップＳ６０）。そして、表示画面４５（宛名面）の表示画像情報は、左に90度回転させられた原稿レイアウト情報に変換される（ステップＳ６１）。また、表示画面４６（署名面）の表示画像情報は、左右開き（ステップＳ６２のＹＥＳ）なので宛名面の表示画像情報と同じ左に90度回転させられた原稿レイアウト情報に変換される（ステップＳ６３）。
【００５２】
図１３（ｂ）の図から、条件５の印刷情報による封筒の仕上がりイメージは容易に想定できる。よって、その表記は省略する。
【００５３】
（条件６の印刷情報：封筒の向き縦、ミシン目の位置上、上下開き）
図１４は、条件６の印刷情報による原稿レイアウト情報と印刷イメージを示す。条件６の印刷情報では、条件５と異なり、図１５に示すように広告情報と定型文が右に90度回転させられた原稿レイアウト情報に変換される（ステップＳ６４）。なお、ミシン目４ｆを示す→の位置は図１３（ａ）と同じである。これにより図１５に示すように図１５（ａ）の宛名面４ａを上方向に裏返ししても、定型文は正視した向きで印刷される。
【００５４】
上述した本実施形態に係る封筒印刷の原稿レイアウト装置１によれば、封筒の宛名面と署名面のそれぞれに印刷される文字情報を正視した向きで表示するので、原稿の編集作業を容易にする。
【００５５】
なお、封筒は、宛名面４ａ、署名面４ｂ、及びフラップ面４ｇの３面で構成する例で説明したが一例であって、これに限定されない。また、署名面４ｂとフラップ面４ｇに表示される情報を広告情報と定型文の例を示したがこの例に限られない。広告情報と定型文は、例えば名称及びマーク等に変更しても構わない。また、ミシン目の位置４３を印刷情報に含めて説明したが、ミシン目の位置４３は必須ではない。
【００５６】
なお、表示画像情報を180度、又は90度回転させる例で説明したが、その回転角度は180度及び90度に限定する必要はない。例えば、ユーザが指定する回転角度に合わせるようにしてもよい。
【００５７】
また、封筒の形状を、一つのタイプで説明したが、本発明はこの例に限定されない。封筒の種類を更に細かく分類し、分類した封筒の形状に合わせて宛名及び署名等を回転させてもよい。
【００５８】
このように、本発明はここでは記載していない様々な実施形態等を含むことは勿論である。したがって、本発明の技術的範囲は上記の説明から妥当な特許請求の範囲に係る発明特定事項によってのみ定められるものである。
【００５９】
[付記]
本出願は、以下の発明を開示する。
【００６０】
（付記１）
封筒印刷のための原稿レイアウト情報を生成する原稿レイアウト装置であって、
封筒の宛名と署名の面にそれぞれ印刷する複数の文字情報を正視した向きで表示する表示部と、
封筒の展開図を表す封筒情報と、複数の前記文字情報、封筒の向き、及び封筒を裏返して見る方向を表す両面設定を含む印刷情報とに基づいて、前記表示部に表示した表示画像情報を、封筒のそれぞれの面に適合するように変換した前記原稿レイアウト情報を生成する原稿レイアウト情報生成部と
を備えることを特徴とする封筒印刷の原稿レイアウト装置。
【００６１】
（付記２）
封筒を特定できる一つ以上の情報を取得した場合に、該一つ以上の情報に対応する保存済みの前記封筒情報を読み出して前記原稿レイアウト情報生成部に出力する封筒情報取得部と、
前記印刷情報を取得する印刷情報取得部と
を備えることを特徴とする付記１に記載の封筒印刷の原稿レイアウト装置。
【００６２】
（付記３）
前記表示部は、
表示画像情報を封筒の宛名面及び封筒の署名面のそれぞれに対応させて分割して表示する  ことを特徴とする付記１又は２に記載の封筒印刷の原稿レイアウト装置。
【符号の説明】
【００６３】
１  封筒印刷の原稿レイアウト装置
２  印刷装置
３  封入封緘装置
４ａ  宛名面
４ｂ  署名面
４ｃ  フラップ
４ｄ、４ｅ  折り目位置
４ｆ  ミシン目
４ｇ  フラップ面
１０  封筒情報取得部
２０  印刷情報取得部
３０  表示データ生成部
４０  表示部
４５  表示画面（封筒の表）
４６  表示画面（封筒の裏）
４７  アイコン
５０  原稿レイアウト情報生成部
Ａ  封筒情報
Ｂ  印刷情報
【図１】
2019121000.tif 000003
【図２】
2019121000.tif 000004
【図３】
2019121000.tif 000005
【図４】
2019121000.tif 000006
【図５】
2019121000.tif 000007
【図６】
2019121000.tif 000008
【図７】
2019121000.tif 000009
【図８】
2019121000.tif 000010
【図９】
2019121000.tif 000011
【図１０】
2019121000.tif 000012
【図１１】
2019121000.tif 000013
【図１２】
2019121000.tif 000014
【図１３】
2019121000.tif 000015
【図１４】
2019121000.tif 000016
【図１５】
2019121000.tif 000017